(57)【要約】　　　（修正有）【課題】販売店等における受注業務をなくした印鑑の缶詰および印鑑の缶詰システムを提供する。【解決手段】１）缶詰の中へ印材、印鑑ケース、書体や送り先等を記載可能としたシステム説明書等を封入した印鑑の缶詰であって、この缶詰を印章店や文具店等の販売店を選ばずに消費者に提供できるようにして、上記販売店における受注業務をなくしたことを特徴とする印鑑の缶詰。２）缶詰の中へ印材、印鑑ケース、書体や送り先等を記載可能としたシステム説明書等を封入するとともに、この缶詰を印章店や文具店等の販売店を選ばずに消費者に提供し、消費者はシステム説明書に希望の印材、書体、送り先等を記入して彫刻が可能な販売店、彫刻所等に送付し、彫刻が可能な販売店、彫刻所等は印材に希望の書体で刻印した上、消費者の希望する送り先へ送付するようにして、上記販売店における受注業務をなくしたことを特徴とする印鑑の缶詰システム。【選択図】　　　　　図１
2004017465.tif 000002
【特許請求の範囲】
【請求項１】
缶詰の中へ印材、印鑑ケース、書体や送り先等を記載可能としたシステム説明書等を封入した印鑑の缶詰であって、この缶詰を印章店や文具店等の販売店を選ばずに消費者に提供できるようにして、上記販売店における受注業務をなくしたことを特徴とする印鑑の缶詰。
【請求項２】
対象とする印鑑が、実印や銀行印、役職印、会社印、認印等の通常の印鑑やゴム印等である請求項１に記載の印鑑の缶詰。
【請求項３】
缶詰の中へ印材、印鑑ケース、書体や送り先等を記載可能としたシステム説明書等を封入するとともに、この缶詰を印章店や文具店等の販売店を選ばずに消費者に提供し、消費者はシステム説明書に希望の印材、書体、送り先等を記入して彫刻が可能な販売店、彫刻所等に送付し、彫刻が可能な販売店、彫刻所等は印材に希望の書体で刻印した上、消費者の希望する送り先へ送付するようにして、上記販売店における受注業務をなくしたことを特徴とする印鑑の缶詰システム。
【請求項４】
対象とする印鑑が、実印や銀行印、役職印、会社印、認印等の通常の印鑑やゴム印等である請求項３に記載の印鑑の缶詰システム。
【発明の詳細な説明】
【０００１】
【発明の属する技術分野】この発明は印鑑の缶詰および印鑑の缶詰システムに関し、印材、印鑑ケース、書体や送り先等を記載可能な説明書等を封入した缶詰を、印章店や文具店等の販売店を選ばずに消費者に提供し、消費者は希望の印材、書体、送り先等を記入して彫刻所に送付し、彫刻所は希望の印材に希望の書体で刻印した上、消費者の希望する送り先へ送付するようにして、販売店等における受注業務をなくした印鑑の缶詰および印鑑の缶詰システムを提供しようとするものである。
【０００２】
【従来の技術】従来、印鑑類の販売に際しては、印鑑を購入しようとする消費者は印章店や文房具店等の販売店へおもむき、希望する印材、書体等を指定する。希望する印材や指定された書体は彫刻が可能な販売店や彫刻所へ伝達され、彫刻が可能な販売店や彫刻所では指定された書体で希望の印材に刻印し、得た印鑑を印章店や文房具店へ納品する。その後、消費者は印章店や文房具店へ出向いて印鑑を代金と引き換えに受け取るのである。
【０００３】したがって、
ａ）消費者が印章店や文房具店等の販売店において印材や書体等を指定する作業、
ｂ）指定された印材や書体等を彫刻が可能な販売店や彫刻所へ伝達する作業、
ｃ）彫刻が可能な販売店や彫刻所において指定された書体で印材に刻印する作業、
ｄ）得た印鑑を印章店や文房具店等の販売店へ納品する作業、
ｅ）消費者が印章店や文房具店等の販売店へ出向いて印鑑を代金と引き換えに受け取る作業、
からなる各作業を必要とするのである。
【０００４】もちろん、近年のインターネットの普及に伴ない、消費者がインターネット上で印鑑の受注を行ない、印鑑の書体をネット上でやり取りして書体を特定し、彫刻が可能な販売店や彫刻所で印材を刻印して得た印鑑を消費者へ送付するようにしたシステムが知られている。
【０００５】
【発明が解決しようとする課題】しかしながら、このようなシステムはインターネットのホームページ等を管理することができる印章店や文房具店、あるいはインターネットを充分に活用することができる消費者のみが利用可能であるといわざるを得ない。
【０００６】すなわち、インターネットのホームページ等を管理することができない印章店や文房具店、あるいはインターネットを充分に活用することができない消費者は、これらのシステムの恩恵を受けることができないのであり、短期間に低コストで所望の書体の印鑑を得ることが難しいのが現状である。
【０００７】したがってこの発明の印鑑の缶詰および印鑑の缶詰システムは、印材、印鑑ケース、書体や送り先等を記載可能な説明書等を封入した缶詰を、印章店や文具店等の販売店を選ばずに消費者に提供し、消費者は希望の印材や書体、送り先等を記入して彫刻が可能な販売店や彫刻所に送付し、彫刻が可能な販売店や彫刻所は印材に希望の書体で刻印した上、消費者の希望する送り先へ送付するようにして、販売店等における受注業務をなくそうとするものである。
【０００８】
【問題を解決するための手段】すなわちこの発明の印鑑の缶詰は、缶詰の中へ印材、印鑑ケース、書体や送り先等を記載可能としたシステム説明書等を封入した印鑑の缶詰であって、この缶詰を印章店や文具店等の販売店を選ばずに消費者に提供できるようにして、上記販売店における受注業務をなくしたことを特徴とするものである。
【０００９】この発明の印鑑の缶詰は、上記対象とする印鑑が、実印や銀行印、役職印、会社印、認印等の通常の印鑑やゴム印等であることをも特徴とするものである。
【００１０】またこの発明の印鑑の缶詰システムは、缶詰の中へ印材、印鑑ケース、書体や送り先等を記載可能としたシステム説明書等を封入するとともに、この缶詰を印章店や文具店等の販売店を選ばずに消費者に提供し、消費者はシステム説明書に希望の印材、書体、送り先等を記入して彫刻が可能な販売店、彫刻所等に送付し、彫刻が可能な販売店、彫刻所等は印材に希望の書体で刻印した上、消費者の希望する送り先へ送付するようにして、上記販売店における受注業務をなくしたことを特徴とするものである。
【００１１】この発明の印鑑の缶詰システムは、上記対象とする印鑑が、実印や銀行印、役職印、会社印、認印等の通常の印鑑やゴム印等であることをも特徴とするものである。
【００１２】したがってこの発明の印鑑の缶詰および印鑑の缶詰システムは、印材、印鑑ケース、書体や送り先等を記載可能な説明書等を封入した缶詰を、印章店や文具店等の販売店を選ばずに消費者に提供し、消費者は希望の印材、書体、送り先等を記入して彫刻が可能な販売店や彫刻所に送付し、彫刻が可能な販売店や彫刻所は印材に希望の書体で刻印した上、消費者の希望する送り先へ送付するように構成したので、販売店等における受注業務を解消することができるようになった。
【００１３】
【発明の実施の形態】以下、図面に基いてこの発明の印鉦の缶詰および印鑑の缶詰システムの実施の形態を詳細に説明する。
図１はこの発明の印鑑の缶詰の１例を示す斜視図、囲２は印鑑の缶詰システムの概略説明図である。
【００１４】この発明における印鑑の缶詰は、図１のように予め印材１の調達、印鑑ケース２の調達、システム説明書３の調達等の作業を行なっておき、適宜組み合わせて印鑑の缶詰１１として封入される。もちろん、この印鑑の缶詰１１の蓋１２はプルトップ式の蓋等の簡単に開けることができる構造であることが望ましい。
【００１５】上記印材１としては、その形状が円柱状のみならず角柱状、多角柱状等であることができることはもちろんであり、用途も実印や銀行印、役職印、会社印、認印等の通常の印鑑やゴム印等であることができる。
【００１６】上記印鑑ケース２としては、上記各種の印材１を収納できる構造のものであれば適宜の素材、形状、構造等とすることができる。またシステム説明書３は印材や書体、送り先等を記載可能としたもので、各種印材や書体を例示しておき、所望の印材や書体を選択することができるようにしておくことが望ましい。
【００１７】以上の印鑑の缶詰１１を利用したこの発明の印鑑の缶詰システムは、図２のように運営される。すなわち、
Ａ）予め印材１の調達、印鑑ケース２の調達、システム説明書３の調達等の作業を行なっておく、
Ｂ）これらを適宜組み合わせて印鑑の缶詰１１内に封入する。
Ｃ）次に印章店や文房具店に限定されない販売店において、上記印鑑の缶詰１１を販売し、印鑑の缶詰１１は消費者の手元に到達する。
Ｄ）消費者は印鑑の缶詰１１を開缶し、システム説明書３を読みながら、所望の印打、書体等を選び、適宜の送り先をシステム説明書に記入する。
Ｅ）記入したシステム説明書３を印材１とともに彫刻の可能な販売店や彫刻所へ送付する。彫刻の可能な販売店や彫刻所は、システム説明書３にそのリストを記載しておくことができる。
Ｆ）彫刻の可能な販売店や彫刻所では、指定された印材１を使用し、上記書体に基いて印材１を刻印して印鑑を製作する。
Ｇ）完成した印鑑を指定の送り先へ送付する。
【００１８】この発明の印鑑の缶詰および印鑑の缶詰システムにおいては、彫刻の可能な販売店や彫刻所の職人の腕前のランクに応じて製品の値段を決めたり、納期を適宜選択したりすることができ、品質やコスト等の面で適正な印鑑の供給システムを構築することが可能である。また、インターネット等を使用することなく、中間マージンを廃し、非常に合理的な印鑑の販売に係るシステムを横築することができる。
【００１９】すなわち、この発明の印鑑の缶詰および印鑑の缶詰システムによれば、印章店や文具店等における煩雑な印鑑の受注業務をなくすことができ、したがって印章店や文房具店以外の販売店においても印鑑の缶詰を販売することができる。
【００２０】
【発明の効果】この発明によれば、インターネットのホームページ等を管理することができない印章店や文房具店等の販売店、あるいはインターネットを充分に活用することができない消費者であっても、短期間に低コストで所望の印材、書体等からなる印鑑を得ることが可能な印鑑の缶詰（ちなみに印缶と称する）および印鑑の缶詰システムが提供できるようになった。
【図面の簡単な説明】
【図１】この発明における印鑑の缶詰の１例を示す斜視図である。
【図２】この発明の印鑑の缶詰システムの概要を説明するフローチャートである。
【符号の説明】
１　印材
２　印鑑ケース
３　システム説明書
１１　缶詰
１２　蓋
【図１】
2004017465.tif 000003
【図２】
2004017465.tif 000004